(57)【要約】【課題】室内空気質を改善する空気浄化機器に使用される集塵装置において、塵埃除去の際に通風を止めることなく連続運転を可能にした集塵装置を提供することを目的とする。【解決手段】空気を流す通風路３と、この通風路３の下に隣接し開口で連通した回収室４と、流れ方向に垂直な回転軸５から放射状に植毛された円筒状ブラシ６と、円筒状ブラシ６を回転させる回転駆動装置７と、回収室４内に円筒状ブラシ６と接触する位置に設けられた接触体８を備えた構成にした。【選択図】図１
2012179536.tif 000002
【特許請求の範囲】
【請求項１】
空気を流す通風路と、
この通風路の下に隣接し開口で連通した回収室と、
流れ方向に垂直な回転軸から放射状に植毛された円筒状ブラシと、
前記円筒状ブラシを回転させる回転駆動装置と、
前記回収室内に前記円筒状ブラシと接触する位置に設けられた接触体を備え、
前記円筒状ブラシは前記通風路と前記開口を塞ぐように設置され、
前記円筒状ブラシは回転により、前記接触体と接触することを特徴とする集塵装置。
【請求項２】
前記回収室の下面に傾斜をつけ下向きに凸形状にした請求項１に記載の集塵装置。
【請求項３】
前記接触体を前記円筒状ブラシの回転方向に複数並べた請求項１または２に記載の集塵装置。
【請求項４】
前記接触体の形状を前記円筒状ブラシの毛先を回転軸方向に変位させる形状にした請求項１から３のいずれかに記載の集塵装置。
【請求項５】
前記接触体の形状を前記円筒状ブラシの回転方向にＶ形とし回転軸方向に複数並べた請求項１から３のいずれかに記載の集塵装置。
【請求項６】
前記接触体の形状を前記円筒状ブラシと接触する面に凹凸を付けた形状にした請求項１から３のいずれかに記載の集塵装置。
【請求項７】
前記円筒状ブラシの下流に通風した空気の一部を前記回収室に流入させるガイドを設置し、前記回収室と屋外を繋いだ請求項１から６のいずれかに記載の集塵装置。
【発明の詳細な説明】
【技術分野】
【０００１】
本発明は、室内に外気を取り入れて換気する際に、大気中に含まれる塵埃の除去に使用される集塵装置に関するものである。
【背景技術】
【０００２】
従来、この種の集塵装置は、給気を行う際に大気中の塵埃を捕集するためにフィルターを用いるが、このフィルターに塵埃が溜まって目詰まりすると圧力損失が大きくなり、換気風量が低下するため、定期的にフィルターの交換、あるいは掃除が必要であった。そこで、ブラシをフィルターの代わりに用いた集塵装置が知られている（例えば、特許文献１参照）。
【０００３】
以下、その集塵装置について図６を参照しながら説明する。
【０００４】
図６に示すように、集塵装置１０１は気体が流通する空間に気体から塵埃を除去する処理室１０２を備え、この処理室１０２内にブラシで形成され空間を遮る程の大きさで仕切る方向に対向して備えた粉塵等を捕集する１または複数のフィルター１０３と、このフィルター１０３で捕集した粉塵等を落下させるバイブレータまたはモータあるいは超音波発振器等の落下手段１０４と落下した粉塵等の回収室１０５とを備えたものである。流入口１０６から流入した塵埃を含んだ気体がフィルター１０３を貫流する際に塵埃はフィルター１０３で捕集され、浄化された気体はフィルター１０３より下流の吐出口１０７から流出する。そしてフィルター１０３の目詰まりを除去する際は、落下手段１０４を作動させることで強制的にフィルター１０３から落下させ回収室１０５にて回収するものである。
【先行技術文献】
【特許文献】
【０００５】
【特許文献１】特開２０００−１４０５３９号公報（第１０頁、第２図）
【発明の概要】
【発明が解決しようとする課題】
【０００６】
このような従来の集塵装置においては、空気の流通する風路内に処理室を備えた構成となっていたので、通風と同時にフィルターからの塵埃の除去をすると捕集した塵埃が下流へ流れるため、連続運転ができないという課題を有していた。
【０００７】
そこで本発明は、上記従来の課題を解決するものであり、フィルターから塵埃を除去する際にも下流へ流れることを防止し通風の連続運転を可能にした集塵装置を提供することを目的とする。
【課題を解決するための手段】
【０００８】
そして、この目的を達成するために、本発明は、空気を流す通風路と、この通風路の下に隣接し開口で連通した回収室と、流れ方向に垂直な回転軸から放射状に植毛された円筒状ブラシと、円筒状ブラシを回転させる回転駆動装置と、前記回収室内に前記円筒状ブラシと接触する位置に設けられた接触体を備え、円筒状ブラシが回転し、接触体により円筒状ブラシが振動させられることで、回収室内で円筒状ブラシに付着した塵埃が除去される集塵装置であり、これにより所期の目的を達成するものである。
【発明の効果】
【０００９】
本発明によれば、空気を流す通風路の下もしくは横に隣接し開口で連通した回収室と、流れ方向に垂直な回転軸から放射状に植毛された回転可能な円筒状ブラシと、回収室内に円筒状ブラシとの接触体を備えることにより、円筒状ブラシが回転し、接触体によりブラシが振動させられることで、回収室内で円筒状ブラシに付着した塵埃が円筒状ブラシから除去されるので、下流へ塵埃を流すことなく通風と円筒状ブラシからの塵埃除去を同時にすることが可能であり、塵埃除去の際に通風を止めることなく連続運転を可能にすることができる。
【図面の簡単な説明】
【００１０】
【図１】本発明の実施の形態１の集塵装置を示す構成図
【図２】同集塵装置の接触体の斜視図
【図３】同集塵装置の他の接触体の斜視図
【図４】同集塵装置の他の接触体の斜視図
【図５】本発明の実施の形態２の集塵装置の構成図
【図６】従来の集塵装置を示す断面図
【発明を実施するための形態】
【００１１】
本発明の請求項１記載の集塵装置は、空気を流す通風路と、この通風路の下に隣接し開口で連通した回収室と、流れ方向に垂直な回転軸から放射状に植毛された円筒状ブラシと、前記円筒状ブラシを回転させる回転駆動装置と、前記回収室内に前記円筒状ブラシと接触する位置に設けられた接触体を備え、前記円筒状ブラシは前記通風路を塞ぎかつ前記通風路と前記回収室の開口を塞ぐように設置された構成を有する。これにより、円筒状ブラシが回転し、接触体により円筒状ブラシが振動させられることで、回収室内で円筒状ブラシに付着した塵埃が除去されるので、下流へ塵埃を流すことなく通風と円筒状ブラシから塵埃の除去を同時にすることが可能であり、塵埃除去の際に通風を止めることなく連続運転を可能にするという効果を奏する。
【００１２】
また、前記回収室の下面に傾斜をつけ下向きに凸形状にするという構成にしてもよい。これにより、円筒状ブラシから除去した塵埃が１箇所に集まるため回収室に溜まった塵埃を容易に廃棄することができるという効果を奏する。
【００１３】
また、接触体を円筒状ブラシの回転方向に複数並べるという構成にしてもよい。これにより、円筒状ブラシの振動する回数が増えるので、円筒状ブラシに付着した塵埃の除去効率が増加するという効果を奏する。
【００１４】
また、前記接触体の形状を前記円筒状ブラシの毛先を回転軸方向に変位させる形状してもよい。これにより、円筒状ブラシの回転方向と回転軸方向の両方の振動が生じるため円筒状ブラシに付着した塵埃の除去効率が増加するという効果を奏する。
【００１５】
また、前記接触体の形状を回転方向にＶ形とし回転軸方向に複数並べるという構成にしてもよい。これにより、Ｖ形の溝で集約された毛が接触体通過後に瞬時に広がるため円筒状ブラシの振動が大きくなり円筒状ブラシに付着した塵埃の除去効率が増加するという効果を奏する。
【００１６】
また、前記接触体の形状を、前記円筒状ブラシと接触する面に凹凸を付けた形状にするという構成にしてもよい。これにより、円筒状ブラシの毛先が乱雑な動きするため広がりやすくなり円筒状ブラシに付着した塵埃の除去効率が増加するという効果を奏する。
【００１７】
また、前記円筒状ブラシの下流に通風した空気の一部を前記回収室に流入させるガイドを設置し、前記回収室に排出口を設け屋外と繋ぐという構成にしてもよい。これにより、通風した空気の一部を回収室に流入させることができ、ブラシが振動する際に風がブラシにあたることで塵埃の除去効率が増加し、回収室に流入させた空気を利用して円筒状ブラシから除去した塵埃を直接屋外に排出することができることで、回収室に溜まった塵埃を廃棄する手間が省けるという効果を奏する。
【００１８】
以下、本発明の実施の形態について図面を参照しながら説明する。
【００１９】
（実施の形態１）
図１に示すように、集塵装置１は、送風ダクト２の途中に設置され、空気を流す通風路３と、この通風路３の下に隣接し開口で連通した回収室４と、空気の流れ方向に垂直な管状の回転軸５から放射状に植毛された円筒状ブラシ６と、回転軸５の中心に円筒状ブラシ６を回転させる回転駆動装置７と、回収室４内に円筒状ブラシ６と接触する位置に設けられた接触体８で構成されている。
【００２０】
接触体８の形状は、円筒状ブラシ６と同じ幅の板もしくは棒状のものであり、円筒状ブラシ６と接触した時に変形しない厚みがあるもので回収室４の壁面に固定される。接触体８の材質はアクリルがよく、他にも樹脂、金属などが考えられ、円筒状ブラシ６と接触した時に変形や破損がおこらない固い材質のもがよい。
【００２１】
なお、本実施の形態において、接触体８を回収室４内に設けたが、回収室壁面と接触体８は一体となっていても良い。
【００２２】
円筒状ブラシ６は、通風路３を塞ぎかつ通風路３と回収室４の開口を同時に塞ぐように設置されており、回転軸５により回転可能である。回転方向は上流側にあった円筒状ブラシ６の面が下流側に回る前に回収室４を通過する方向である。円筒状ブラシ６の素材は馬毛がよく、他にも、天然または合成繊維、動物の毛が考えられ、風圧によってなびかないものが良い。
【００２３】
上記構成において、流入口９から集塵装置１に通風された空気が円筒状ブラシ６を通過する時に、円筒状ブラシ６の上流側の面で空気中の塵埃が捕集され、浄化された空気が吐出口１０から流出する。
【００２４】
このとき、円筒状ブラシ６が回転駆動装置７により回転させられ、毛先が回収室４内の接触体８に接触し振動することで捕集された塵埃は回収室４へ吐き出され、回収室４と通風路３は円筒状ブラシ６で塞がれているため通風路３への再飛散はないので下流へ塵埃を流すことなく、通風路３内の通風と円筒状ブラシ６からの塵埃除去を同時にすることが可能であり、塵埃除去の際に通風を止めることなく連続運転を可能にすることができる。
【００２５】
また、回収室４の下面に傾斜を付け下向きに凸な形状とすることで、円筒状ブラシ６から除去した塵埃を１箇所に集めることができるため、回収室４に溜まった塵埃を容易に廃棄することができる。
【００２６】
また、図１に示すように、接触体８を回転方向に対して所定間隔をあけて複数並べることで、円筒状ブラシ６の振動回数を増やすことができるため、付着した塵埃の除去効率を増加させることができる。また円筒状ブラシ６が接触体８により反回転方向に曲げられ、接触体８を越えて元に戻る反発力で次の接触体８に当たるように所定間隔を短くすれば、円筒状ブラシ６への衝撃力が増え、付着した塵埃の除去効率を増加させることができる。
【００２７】
接触体８の円筒状ブラシ６への入り込み長さは、円筒状ブラシ６の素材の固さや毛の密度によって最適な長さは変わるもので、毛の根元まで動くように接触させるのがよいが、毛の根元付近まで接触させると円筒状ブラシ６の回転の抵抗が大きくなるため、円筒状ブラシ６の素材や密度に合わせて最適な長さを決めるのがよい。例えば、円筒状ブラシ６が線径０．１ｍｍの馬毛２００本で１束として、１束の径５ｍｍとなるようにする。その１束を７ｍｍ間隔で配置したものを１列として、各列で、前列の束間の中点に束の中心が来るように５ｍｍ間隔で配置した場合、円筒状ブラシ６の毛先から３分の１の長さまで接触するようにするとよい。
【００２８】
図２に接触体８の別の形状を示す。
【００２９】
図２の接触体８ａは、円筒状ブラシ６の毛先を回転軸方向に変位させる形状にすることで、回転方向と回転軸方向の振動を生じさせることができ、円筒状ブラシ６に付着した塵埃の除去効率が増加する。また、複数設ける場合は、回転軸方向が逆になるような接触体８ｂを並べて設けることにより、反対方向の反発力も生じさせ、塵埃の除去効率はさらに増加する。
【００３０】
また、図３に示すように接触体８の形状を回転方向にＶ形とし回転軸方向に複数並べた形状にすることで、Ｖ形の溝で集束された毛が接触体８ｃ通過後に瞬時に広がるため振動を大きくすることができ、効果に差はない。
【００３１】
また、複数設ける場合は、隣り合う接触体８ｃと接触体８ｄでＶ形の溝と山が並ぶように設けることで、接触体８ｃでは集束していた箇所を接触体８ｄでは広げることができ、塵埃の除去効率はさらに増加する。
【００３２】
また、図４に示すように接触体８ｅの形状を円筒状ブラシ６と接触する面に凹凸を付けた形状にすることで、円筒状ブラシ６の毛先が乱雑な動きするため広がりやすくなり、効果に差はない。
【００３３】
（実施の形態２）
図５において、実施の形態１と同一の部分は同一符号を付し、その詳細な説明は省略する。
【００３４】
図５に示すように、円筒状ブラシ６を通過した空気の一部を回収室４に流入させるガイド１１を設置し、回収室４に排出口１２を設け屋外と繋ぐことで、円筒状ブラシ６が振動する際に風があたり塵埃の除去効率が増加し、回収室４に流入させた空気を利用して円筒状ブラシ６から除去した塵埃を直接屋外に排出することができる。
【産業上の利用可能性】
【００３５】
本発明にかかる集塵装置は、室内空気質を改善する空気浄化機器などに適応できる。
【符号の説明】
【００３６】
１      集塵装置
２      送風ダクト
３      通風路
４      回収室
５      回転軸
６      円筒状ブラシ
７      回転駆動装置
８、８ａ、８ｂ、８ｃ、８ｄ、８ｅ  接触体
９      流入口
１０    吐出口
１１    ガイド
１２    排出口
１０１  集塵装置
１０２  処理室
１０３  フィルター
１０４  落下手段
１０５  回収室
１０６  流入口
１０７  吐出口
【図１】
2012179536.tif 000003
【図２】
2012179536.tif 000004
【図３】
2012179536.tif 000005
【図４】
2012179536.tif 000006
【図５】
2012179536.tif 000007
【図６】
2012179536.tif 000008